(57)【特許請求の範囲】
【請求項１】
自動車の内装部材に取付けられる灰皿であって、内装部材に固定可能な脚部材と、この脚部材に連結可能な連結部材を有する灰皿本体とからなり、
上記脚部材は、取付対象面の起伏状況に十分順応できるような比較的柔軟な材質で形成されるとともに内装部材への取付面が脚部材の中心軸に対して傾斜して構成されており、
上記連結部材は、灰皿本体の底面に対して傾斜して取着されるとともに灰皿本体が脚部材に対して揺動自在でかつ回動自在となるように構成されていることを特徴とする自動車用灰皿。
【請求項２】
灰皿本体に対して連結部が脱着可能に構成されている請求項１記載の自動車用灰皿。
【発明の詳細な説明】
【０００１】
【産業上の利用分野】
本発明は、自動車用灰皿の改良に関する。
【０００２】
【従来の技術】
自動車の内装部材ことにハンドルや計器類等が設けられている前部部材に取付けられる灰皿は、灰皿本体とこれに取着される取付脚部とからなるものが汎用されている。
【０００３】
上記灰皿は、灰皿本体に取付脚部が固定されているもので、通常、取付脚部の下面を上記前部部材に接着して用いられるが、上記前部部材は曲面部や起伏が多い異形な構造からなるため、上記灰皿の取付脚部は、その取付下面が軸に対して傾斜するよう構成されている。
【０００４】
ところで、右利きの者にとって灰皿はハンドルの右側に設置する方が手勝手が良いが、この部分は特に起伏に富み平面部分が非常に少ない。その上灰皿の構造のように取付下面の傾斜だけでは灰皿本体を略水平に保持するには許容範囲が少ない構成であるので、仕方なく起伏の少ないハンドルの左側に設置して使用しているのが現状である。
【０００５】
【発明が解決しようとする課題】
そこで本発明の解決しようとする課題は、自動車の内装部材において起伏に富みかつ水平面が少ない部分であっても灰皿本体を常に水平に保持することができる自動車用灰皿を提供することにある。
【０００６】
【課題を解決するための手段】
かくして本願『請求項１』にかかる発明によれば、『自動車の内装部材(4)に取付けられる灰皿であって、内装部材(4)に固定可能な脚部材(3)と、この脚部材(3)に連結可能な連結部材(2)を有する灰皿本体(1)とからなり、上記脚部材(3)は、取付対象面の起伏状況に十分順応できるような比較的柔軟な材質で形成されるとともに内装部材(4)への取付面(32)が脚部材(3)の中心軸(3a)に対して傾斜して構成されており、上記連結部材(2)は、灰皿本体(1)の底面に対して傾斜して取着されるとともに灰皿本体(1)が脚部材(3)に対して揺動自在でかつ回動自在となるように構成されていることを特徴とする自動車用灰皿(A)』が提供される。
【０００７】
本発明の自動車用灰皿(A)において、灰皿本体(1)が脚部材(3)に対して揺動自在かつ回動自在となるとは、揺動中心（軸）を有すると共にこの揺動中心を頂点とする円錐運動が可能であることを意味する。
このような連結部材(2)と脚部材(3)との連結構造としては、例えば球面状の嵌合面を有する構造が好ましいが、これに限定されない。
上記連結部材(2)は、本願『請求項２』に示すように、『灰皿本体(1)に対して連結部材(2)が脱着可能』に構成されていることが、灰皿本体(1)に収容された吸い殻等のゴミを除去する際に取り外せる点で好ましいものである。
【００１０】
【作用】
本願『請求項１』にかかる発明によれば、自動車の内装部材において起伏に富む部分であっても灰皿本体を設置することができる。また、取付面(32)の傾斜度と、揺動及び円錐状に回動する範囲の傾斜度と、灰皿本体(1)の底面の傾斜度とを合わせた範囲内に脚部材(3)の取付面(32)が固定されている限り、灰皿本体(1)は略水平に保持されることとなる。
【００１１】
本願『請求項２』にかかる発明によれば、灰皿本体（１）のみを取り外して掃除することができる。
【００１４】
【実施例】
以下、本発明を図示実施例に従って詳述するが、これによって本発明が限定されるものではない。
実施例１
図１は本発明の自動車用灰皿の正面図、図２は図１の右側面図、図３は図１の平面図、図４は本発明の自動車用灰皿の設置例を示す概略図である。
これらの図において、自動車用灰皿（Ａ）は、灰皿本体（１）と連結部材（２）と脚部材（３）とから主として構成されている。
【００１５】
上記灰皿本体（１）は、この例では、底面部材（１１）、側面部材（１２）、蓋部材（１３）及び内部部材（１４）から構成されており、底面部材（１１）及び側面部材（１２）は前面開口部（１０ａ）以外は一体的に接合されている。また側面部材（１２）は灰皿本体（１）の上面開口部（１０ｂ）を形成している。
【００１６】
底面部材（１１）の内部前方には内部部材（１４）を脱着自在に取付ける取付座（１１ａ）が設けられている。
底面部材（１１）の外部底面のほぼ中央には、連結部材（２）を脱着自在に取付ける連結部材取付座（１１ｂ）が設けられている。この連結部材取付座（１１ｂ）には取付用の切欠（１１ｃ）が設けられている。
【００１７】
内部部材（１４）は、上記前面開口部（１０ａ）に内側から挿入され外側に突出する押ボタン部（１４ａ）、揉み消し部（１４ｂ）、煙草載置部（１４ｃ）及びホール部（１４ｄ）が一体的に構成されており、少なくとも揉み消し部（１４ｂ）及び煙草載置部（１４ｃ）は金属メッキや金属薄板の張り付け等により耐熱・耐火性に構成されている。また、煙草載置部（１４ｃ）の外部前面には、蓋部材（１３）を係止する係止片（１４ｅ）が突設されている。
上記内部部材（１４）は底面部材（１１）内の取付座（１１ａ）に図示しないスプリングを介して取付けられ、前面開口部（１０ａ）側に押圧付勢される。
【００１８】
蓋部材（１３）は、灰皿本体（１）の上面開口部（１０ｂ）を開閉自在に閉塞するもので、後方には側面部材（１２）に枢着されるヒンジ部（１３ａ）を、前方には上記係止片（１４ｅ）と係合する係合片（１３ｂ）をそれぞれ有し、上記ヒンジ部（１３ａ）には図示しないバネが設けられていて、蓋部材（１３）を常に開状態に付勢している。
【００１９】
連結部材（２）は、図に示すような形状のもので、一端に灰皿本体取着部（２１）が、他端に脚部材ジョイント部（２２）がそれぞれ形成されている。灰皿本体取着部（２１）はこの連結部材（２）の軸（２ａ）に対して傾斜するように設けられており、上記灰皿本体（１）の連結部材取付座（１１ａ）の切欠（１１ｃ）と嵌合し得る突片（２１ａ）を有している。すなわち図５に示すように、上記突片（２１ａ）を連結部材取付座（１１ａ）の切欠（１１ｃ）に対して嵌合して互いに回転させることにより灰皿本体（１）と連結部材（２）とは結合させることができる。
上記脚部材ジョイント部（２２）は、球面に形成されたボール体（２２ａ）を先端に有している。
【００２０】
脚部材（３）は、図に示すような形状のもので、上記ジョイント部（２２）のボール体（２２ａ）を嵌合し得る球面凹部（３１）が一端に構成され、他端には自動車の内装部材ことにハンドル（４１）や計器類（４２）が設けられた前部部材（４）に接着される取付面（３２）が構成されている。
上記取付面（３２）は、この脚部材（３）の軸（３ａ）に対して傾斜して設けられている。そして例えば両面テープ（５）のようなものを貼着されることにより所定の部位に固定することができる。
上記脚部材（３）は、比較的柔軟な材質で構成されており、球面凹部（３１）へのボール体（２２ａ）の挿脱が可能で、また前部部材（４）の取付対象面の起伏状況に十分順応することができる。
【００２１】
以上のように構成された自動車用灰皿（Ａ）においては、連結部材（２）のジョイント部（２２）のボール体（２２ａ）は、嵌合されている脚部材（３）の球面凹部（３１）に沿って摺動できるので、連結部材（２）は脚部材（３）に対して揺動自在となると同時に軸（３ａ）を中心とする円錐回動が自在となっている。
そしてこの連結部材（２）に灰皿本体（１）が取着されているので、結局、灰皿本体（１）は脚部材（３）に対して揺動及び軸（３ａ）を中心とする円錐回動が自在となっている。
その上、脚部材（３）の取付面（３２）及び連結部材（２）の灰皿本体取着部（２１）がいずれも各軸（３ａ）（２ａ）に対して傾斜しているので、これらの傾斜角を合わせた角度にさらに揺動角度が加わった広い範囲内で角度調整が可能となっている。
従って、例えば図６や図７に示されるように、取付対象部位がほぼ垂直近く傾斜していても、灰皿本体（１）を十分水平に保持することができる。
【００２２】
以上のことから、本来、自動車の内装部材ことに前部部材（４）では、ハンドル（４１）や計器類（４２）等が多くて水平部が非常に少なかったため灰皿を左側に設置せざるを得なかったが、本発明の灰皿（Ａ）であればほぼ垂直になっている部分でさえも設置することができる。
従って、場所を選ばす非常に機能的であると共に、運転する者にとっても常に利き手側に設置できる。
【００２３】
【発明の効果】
本発明によれば、自動車の内装部材において起伏に富む部分や垂直に近い部分であっても灰皿本体を水平に保持することができる。
従って、場所を選ばす非常に機能的であり、設置場所の適用範囲が広げられる。
その上、運転する者にとっても常に利き手側に設置できるので安全運転におおいに寄与することができる。
【図面の簡単な説明】
【図１】本発明の自動車用灰皿の一例の正面図
【図２】図１の右側面図
【図３】図１の平面図
【図４】本発明の自動車用灰皿の取付け例を示す概略図
【図５】灰皿本体と連結部材との連結構造を説明する概略図
【図６】本発明の自動車用灰皿の使用の一例を説明する概略図
【図７】本発明の自動車用灰皿の使用の他の例を説明する概略図
【符号の説明】
（Ａ）…自動車用灰皿
（１）…灰皿本体
（２）…連結部材                          （２ａ）…連結部材の軸
（３）…脚部材                            （３ａ）…脚部材の軸
（４）…前部部材                          （５）…両面テープ
（１０ａ）…前面開口部                      （１０ｂ）…上面開口部
（１１）…底面部材                        （１１ａ）…取付座
（１１ｂ）…連結部材取付座                  （１１ｃ）…切欠
（１２）…側面部材                        （１３）…蓋部材
（１４）…内部部材                        （１４ａ）…押ボタン部
（１４ｂ）…揉み消し部                      （１４ｃ）…煙草載置部
（１４ｃ）…ホール部                        （１４ｅ）…係止片
（２１）…灰皿本体取着部
（２２）…脚部材ジョイント部              （２２ａ）…ボール体
（３１）…球面凹部                        （３２）…取付面
【図１】
0003619557.tif 000002
【図２】
0003619557.tif 000003
【図３】
0003619557.tif 000004
【図４】
0003619557.tif 000005
【図５】
0003619557.tif 000006
【図６】
0003619557.tif 000007
【図７】
0003619557.tif 000008